【事件の表示】
　特願２０１３−１７０６７４「情報提供システム、情報提供装置、情報提供プログラム及び情報提供方法」拒絶査定不服審判事件〔平成２７年　３月　２日出願公開、特開２０１５−　４１１４９〕について、次のとおり審決する。
【結　論】
　本件審判の請求は、成り立たない。
【理　由】
第１　手続の経緯
　本願は、平成２５年８月２０日の出願であって、平成２７年４月１３日付けで拒絶理由が通知され、平成２７年６月４日に手続補正がされるとともに意見書が提出され、平成２７年１２月８日付けで拒絶査定がなされ（発送日：同月１５日）、これに対して平成２８年２月２４日に審判の請求がなされ、同時に手続補正がなされたものである。
　
第２　平成２８年２月２４日付けの手続補正についての補正却下の決定
［補正却下の結論］
　平成２８年２月２４日付けの手続補正（以下、「本件補正」という。）を却下する。
　
［理由］
１．補正の内容
　本件補正は、特許請求の範囲の請求項１、８−１０を、
＜補正前の請求項１、８−１０＞
「　【請求項１】
　超音波発生装置と、携帯端末と、前記携帯端末に情報を提供する情報提供装置と、を備える情報提供システムであって、
　前記超音波発生装置は、配信情報が重畳された超音波信号を発生する信号発生部を有し、
　前記携帯端末は、
　前記超音波信号を受信する超音波信号受信部と、
　前記超音波信号に重畳された前記配信情報を抽出する抽出部と、
　前記配信情報を前記情報提供装置に送信する端末側送信部と、
　を有し、
　前記情報提供装置は、
　複数の前記携帯端末から前記配信情報を受信する装置側受信部と、
　所定期間内に前記装置側受信部が受信した前記配信情報を送信した前記携帯端末の数に基づいて選択した特典情報を、前記配信情報を送信した前記携帯端末に送信する装置側送信部と、
　を有する情報提供システム。」
「　【請求項８】
　複数の携帯端末から、超音波発生装置が発生した超音波信号から前記携帯端末が抽出した配信情報を受信する装置側受信部と、
　所定期間内に前記装置側受信部が受信した前記配信情報を送信した前記携帯端末の数に基づいて選択した特典情報を、前記配信情報を送信した前記携帯端末に送信する装置側送信部と、
　を備える情報提供装置。
　【請求項９】
　コンピュータを、
　複数の携帯端末から、超音波発生装置が発生した超音波信号から前記携帯端末が抽出した配信情報を受信する装置側受信部、及び
　所定期間内に前記装置側受信部が受信した前記配信情報を送信した前記携帯端末の数に基づいて選択した特典情報を、前記配信情報を送信した前記携帯端末に送信する装置側送信部、
　として機能させるための情報提供プログラム。
　【請求項１０】
　配信情報が重畳された超音波信号を発生する工程と、
　携帯端末が前記超音波信号を受信する工程と、
　前記超音波信号に重畳された前記配信情報を抽出する工程と、
　前記携帯端末が前記配信情報を情報提供装置に送信する工程と、
　所定期間内に前記配信情報を前記情報提供装置に送信した前記携帯端末の数に基づいて選択した特典情報を、前記配信情報を送信した前記携帯端末に送信する工程と、
　を有する情報提供方法。」
から、
＜補正後の請求項１、８−１０＞
「　【請求項１】
　超音波発生装置と、携帯端末と、前記携帯端末に情報を提供する情報提供装置と、を備える情報提供システムであって、
　前記超音波発生装置は、配信情報が重畳された超音波信号を発生する信号発生部を有し、
　前記携帯端末は、
　前記超音波信号を受信する超音波信号受信部と、
　前記超音波信号に重畳された前記配信情報を抽出する抽出部と、
　前記配信情報を前記情報提供装置に送信する端末側送信部と、
　を有し、
　前記情報提供装置は、
　複数の前記携帯端末から前記配信情報を受信する装置側受信部と、
　所定期間内に前記装置側受信部が受信した前記配信情報を送信した前記携帯端末の数に基づいて選択した特典情報を、
前記所定期間内に前記情報提供装置に
　を有する情報提供システム。」
「　【請求項８】
　
携帯端末に情報を提供する情報提供装置であって、
　複数の
前記
　所定期間内に前記装置側受信部が受信した前記配信情報を送信した前記携帯端末の数に基づいて選択した特典情報を、
前記所定期間内に前記情報提供装置に
　を備える情報提供装置。
　【請求項９】
　
携帯端末に情報を提供する情報提供装置が有する
　複数の
前記
　所定期間内に前記装置側受信部が受信した前記配信情報を送信した前記携帯端末の数に基づいて選択した特典情報を、
前記所定期間内に前記情報提供装置に
　として機能させるための情報提供プログラム。
　【請求項１０】
　配信情報が重畳された超音波信号を発生する工程と、
　携帯端末が前記超音波信号を受信する工程と、
　前記超音波信号に重畳された前記配信情報を抽出する工程と、
　前記携帯端末が前記配信情報を情報提供装置に送信する工程と、
　所定期間内に前記配信情報を前記情報提供装置に送信した前記携帯端末の数に基づいて選択した特典情報を、
前記所定期間内に前記情報提供装置に
　を有する情報提供方法。」
と補正するものである。（審決注：下線は当審付与。以下同様。）
　本件補正は、補正前の請求項１の「所定期間内に前記装置側受信部が受信した前記配信情報を送信した前記携帯端末の数に基づいて選択した特典情報を、前記配信情報を送信した前記携帯端末に送信する装置側送信部」を、補正後の請求項１の「所定期間内に前記装置側受信部が受信した前記配信情報を送信した前記携帯端末の数に基づいて選択した特典情報を、
前記所定期間内に前記情報提供装置に
２．新規事項の有無
　補正事項１の補正について、新規事項の有無を検討する。
（１）　新規事項の検討に先立ち、補正事項１の意義について検討する。
　補正事項１は、要するに、装置側送信部がクーポン等の「特典情報」を送る携帯端末が、「前記配信情報を送信した前記携帯端末」であったものを、「
前記所定期間内に前記情報提供装置に
　ここで、補正後の「
前記所定期間内に前記情報提供装置に
前記情報提供装置に
　さらに、補正事項１における「
前記
の数
　よって、補正事項１によって、携帯端末の数に基づいて特典情報を選択するために、「所定期間内に」配信情報を送信した前記携帯端末としてカウントされた携帯端末に対して、すなわち、「前記所定期間内に」配信情報を送信した複数の携帯端末のすべてに対して、クーポン等の「特典情報」が送られるものとなったと理解できる。
（２）　これに対して、本願の願書に最初に添付した明細書、特許請求の範囲又は図面（以下、「当初明細書等」という。）には、装置側送信部から「特典情報」を送信する携帯端末に関して、以下の事項が記載されている。
ア　段落【０００５】−【００１０】
「【発明が解決しようとする課題】
【０００５】
　ところで、
特許文献１に記載の方法によれば、例えば、店舗等に超音波信号を発生させる超音波発生装置を設置しておくことで、来店した客は、自身の携帯端末を用いて超音波発生装置が発生した超音波を受信してクーポンを取得することができる
【０００６】
　しかしながら、
店舗は、例えば時間帯や業種によっては、来店する客が少なく、クーポンを発行する機会が少ないという問題がある
【０００７】
　そこで、本発明はこれらの課題を解決するためになされたものであり、客に対して情報が提供される機会を増加させることができる情報提供システム、情報提供装置、情報提供プログラム及び情報提供方法を提供することを目的とする。
【課題を解決するための手段】
【０００８】
　本発明の第１の態様に係る情報提供システムは、超音波発生装置と、携帯端末と、前記携帯端末に情報を提供する情報提供装置と、を備える情報提供システムであって、前記超音波発生装置は、配信情報が重畳された超音波信号を発生する信号発生部を有し、前記携帯端末は、前記超音波信号を受信する超音波信号受信部と、前記超音波信号に重畳された前記配信情報を抽出する抽出部と、前記配信情報を前記情報提供装置に送信する端末側送信部と、を有し、前記情報提供装置は、複数の前記携帯端末から前記配信情報を受信する装置側受信部と、所定期間内に前記装置側受信部が受信した前記配信情報を送信した前記
携帯端末の数に基づいて特典情報を前記携帯端末に送信する装置側送信部
【０００９】
　この発明によれば、所定期間内に超音波発生装置から配信情報を受信した携帯端末の数、すなわち、来店した客の数に基づいて特典情報を送信することができる。よって、例えば、来店する客の数が少ない時間帯に来店した客に特典情報を与えることで、
客に対して、来店する客の数が少ない時間に来店する動機づけを与えることができる
【００１０】
　また、前記情報提供装置は、前記携帯端末の数に基づいて、複数の特典情報の中から前記携帯端末に提供する特典情報を選択する
選択部をさらに有し
　この発明によれば、例えば、複数の特典情報をそれぞれ価値の異なる特典情報としておくことで、来店した客の数に応じて最適な特典情報を選択して提供することができる。」
イ　段落【００２７】
「【００２７】
　情報提供装置３は、携帯端末２から配信情報を受信すると、所定期間内に配信情報を送信した
携帯端末２の数に基づいて、複数の特典情報から提供する特典情報を選択し、当該特典情報を携帯端末２に送信する
　なお、情報提供システムＳはさらに特典情報の管理を行う管理システム８を備えていてもよく、情報提供装置３は、当該管理システム８から特典情報を取得してもよい。」
ウ　段落【００３８】−【００４５】
「【００３８】
［情報提供装置３の構成例］
　続いて、情報提供装置３が備える機能について説明する。図３は、第１の実施形態に係る情報提供装置３の機能構成図である。
　情報提供装置３は、例えばサーバであり、装置側記憶部３１と、装置側制御部３２とを備える。
　・・・（中略）・・・
【００４１】
　装置側受信部３２１は、複数の携帯端末２のそれぞれから配信情報と、当該配信情報を送信した携帯端末２の端末ＩＤとを受信する。
　
選択部３２２は、所定期間内（例えば、１時間以内）に装置側受信部３２１が受信した配信情報を送信した携帯端末２の数に基づいて、複数の特典情報の中から携帯端末２に提供する特典情報を選択する
【００４２】
　具体的には、選択部３２２は、装置側受信部３２１が携帯端末２から配信情報及び端末ＩＤを受信すると、所定期間内に装置側受信部３２１が受信した異なる端末ＩＤの数に基づいて携帯端末２の数を特定する。続いて、選択部３２２は、特定した携帯端末２の数が所定値以下の場合に、携帯端末２の数が所定値より大きい場合に付与する特典情報に比べて価値の高い特典情報を選択する。
【００４３】
　例えば、装置側記憶部３１に、図４に示すように、所定期間内に配信情報を送信した携帯端末２の数と、提供する特典情報とを関連付けた選択情報を記憶させておき、選択部３２２は、選択情報を参照して、特定した携帯端末２の数に関連する特典情報を選択してもよい。
【００４４】
　なお、携帯端末２の数の特定は、例えば以下のように行われる。まず、選択部３２２は、配信情報を受信した時刻と携帯端末２の端末ＩＤと関連付けて履歴情報として装置側記憶部３１に記憶する。続いて、選択部３２２は、装置側受信部３２１が
携帯端末２から配信情報及び端末ＩＤを受信すると、装置側記憶部３１に記憶されている履歴情報を参照し、
算出した端末ＩＤの数を携帯端末２の数と特定する
【００４５】
　装置側送信部３２３は、所定期間内に装置側受信部３２１が受信した配信情報を送信し
た携帯端末２の数に基づいて特典情報を携帯端末２に送信する。具体的には、
装置側送信部３２３は、選択部３２２により選択された特典情報を、配信情報を送信した携帯端末２に送信する
エ　段落【００４６】−【００５０】
「【００４６】
［情報提供システムＳの通信シーケンス］
　図５は、第１の実施形態に係る情報提供システムＳにおいて、携帯端末２が特典情報を受信するまでの通信シーケンスの一例を示す図である。
　まず、超音波発生装置１が、少なくとも、装置ＩＤ又は施設ＩＤのいずれかを含む配信情報が重畳された超音波信号を発生する（Ｓ１）。
【００４７】
　続いて、超音波信号受信部２１が超音波信号を受信すると、抽出部２６１は、当該超音波信号に含まれている配信情報を抽出する（Ｓ２）。続いて、端末側送信部２６２は、配信情報及び携帯端末２の端末ＩＤを情報提供装置３に送信する。
　続いて、装置側受信部３２１は、
携帯端末２から配信情報及び端末ＩＤを受信する
【００４８】
　続いて、選択部３２２は、配信情報を受信した時刻と、受信した端末ＩＤと関連付けて
履歴情報として装置側記憶部３１に記憶する（Ｓ３）
　続いて、
選択部３２２は、履歴情報を参照し、所定期間内に装置側受信部３２１が受信した異なる端末ＩＤの数に基づいて、所定期間内に配信情報を送信した携帯端末２の数を特定する（Ｓ４）
【００４９】
　続いて、選択部３２２は、Ｓ４において特定した携帯端末２の数に基づいて、装置側記憶部３１に記憶されている複数の特典情報の中から一の特典情報を選択する（Ｓ５）。
　続いて、
装置側送信部３２３は、選択部３２２により選択された特典情報を、配信情報を送信した携帯端末２に送信する
　続いて、端末側受信部２６３は、無線部２５を介して、情報提供装置３から特典情報を受信し、当該特典情報を端末側記憶部２２に記憶させる（Ｓ６）。
【００５０】
［第１の実施形態における効果］
　以上のとおり、第１の実施形態に係る情報提供システムＳの情報提供装置３は、所定期間内に超音波発生装置１から配信情報を受信した携帯端末の数、すなわち、来店した客の数に基づいて特典情報を送信することができる。よって、例えば、来店した客の数が少ない場合に特典情報を来店した客に与えることで、客に対して、来店する客の数が少ない時間に来店する動機づけを与えることができる。これにより、客に対して特典情報が提供される機会を増加させることができる。
　なお、情報提供装置３は、特定の超音波を受信したユーザに対して現在配信している特典内容を、広告情報として来店可能性のある他のユーザに報知するようにしてもよい。このようにすることで、高い特典情報を受けられる店舗へ来客を誘導することが可能となるとともに、混雑緩和に寄与することができる。」
（３）　前記アには、「携帯端末の数に基づいて特典情報を
前記携帯端末に
　前記イには、「携帯端末２の数に基づいて、複数の特典情報から提供する特典情報を選択し、当該特典情報を
携帯端末２に
　前記ウには、［情報提供装置３の構成例］として、「携帯端末２から配信情報及び端末ＩＤを受信すると、
装置側記憶部３１に記憶されている履歴情報を参照し
配信情報を送信した携帯端末２に
　前記エには、［情報提供システムＳの通信シーケンス］の一例として、「携帯端末２から配信情報及び端末ＩＤを受信する」と、「履歴情報として装置側記憶部３１に記憶する（Ｓ３）」ステップ、「履歴情報を参照し」て、「所定期間内に配信情報を送信した携帯端末２の数を特定する（Ｓ４）」ステップを備え、「装置側送信部３２３は、選択部３２２により選択された特典情報を、
配信情報を送信した携帯端末２に送信する
（４）　しかしながら、前記ア、イが、「前記所定期間内に」配信情報を送信した複数の携帯端末のすべてに対して、クーポン等の「特典情報」を送ることを開示したものではないことは明らかである。
　前記ウには、特典情報を「配信情報を送信した」（１台の）携帯端末２に送信することが記載されている。しかし、特典情報を受け取る端末が、（携帯端末の数をカウントするために参照した）「履歴情報」に含まれているか否かは特定されておらず、当然に（「履歴情報」に含まれる）「前記所定期間内に」配信情報を送信した複数の携帯端末のすべてに対して、クーポン等の「特典情報」を送ることは読み取れない。
　前記エは、「第１の実施形態に係る情報提供システムＳにおいて、携帯端末２が特典情報を受信するまでの通信シーケンスの一例」である。
　ステップＳ３では、携帯端末から受信した端末ＩＤを履歴情報として記憶する。
　ステップＳ４では、あらかじめ装置側記憶部３１に記憶されている履歴情報に含まれる異なる端末ＩＤの数をカウントすることで、「所定期間内に配信情報を送信した携帯端末２の数を特定」する。
　ステップＳ５では、ステップＳ４の携帯端末の数のカウントに基づいて選択した特典情報を、「配信情報を送信した携帯端末２」に送信する。
　前記エの「通信シーケンスの一例」において、特にステップＳ５で特典情報を受け取る携帯端末に着目すると、この携帯端末は、ステップＳ３で端末ＩＤが履歴情報に最後に記憶された携帯端末であるから、この（１台の）特定の端末については、特典情報が送信されている。
　しかし、この特定の携帯端末以外の、「前記所定期間内に」配信情報を送信して、履歴情報内にその端末ＩＤが既に記憶されている残りの携帯端末については、特典情報を送信する記載はなく、このような技術思想を読み取ることもできないから、「前記所定期間内に」配信情報を送信した複数の携帯端末のすべてに対して、クーポン等の「特典情報」を送ることは読み取れない。
　そして、当初明細書等の他の記載を参照しても、上記の点が自明な事項であるとも認められない。
　したがって、補正事項１を含む本件補正は、当初明細書等のすべての記載を総合することにより導かれる技術的事項との関係において、新たな技術的事項を導入するものであり、当初明細書等に記載した事項の範囲内においてしたものではない。
３．むすび
　以上のとおりであるから、本件補正は、特許法第１７条の２第３項の規定に違反するものであり、同法第１５９条第１項の規定において読み替えて準用する同法第５３条第１項の規定により却下されるべきものである。
第３　本願発明
　上記のとおり、本件補正は却下されたので、本願の請求項１−１０に係る発明は、平成２７年６月４日付けの手続補正書により補正された特許請求の範囲の請求項１−１０に記載されたとおりのものである。
　以下、その請求項１に係る発明を、「本願発明」という。
第４　引用例・引用発明について
　原査定の拒絶の理由で引用された、特開２０１２−１５５７０６号公報（以下「引用例」という。）には、図面と共に、次の事項が記載されている。
　
（１）　段落【００１６】−【００１７】
「【００１６】
　図面を参照してこの発明の実施形態である
情報提供システム
【００１７】
　この情報提供システムは、本発明の
放音装置
が、
識別情報である音響ＩＤが重畳された音声を放音し、
携帯端末装置であるスマートフォン２がこの音響ＩＤを用いて特定のインターネットサイト（ＵＲＬ）にアクセスして情報を獲得するというシステムであ
（２）　段落【００３２】−【００３４】
「【００３２】
　図５はスマートフォン２の本願発明に関係する部分のみを取り出した機能ブロック図である。
スマートフォン２は、マイクロフォン２１、
音響ＩＤ処理部２２
ＵＲＬ取得部２４、ウェブブラウザ２５、ネットワーク通信部２６、ＧＰＳ測位部２７、時計２８、操作部２９を備えて
音響ＩＤ処理部２２は
ＩＤ復調部２３およびＵＲＬ取得部２４を備えて
マイクロフォン２１は、
スピーカから放音された音響を収音
ＩＤ復調部２３は、収音して得られた音声信号を、拡散変調に用いられた拡散符号を係数とする整合フィルタに通すことによってＩＤコードを復調する処理部であ
【００３３】
　
ネットワーク通信部２６は、情報通信ネットワーク３を介してＩＤ解決サーバ４やコンテンツサーバ５と通信する機能部であ
ＵＲＬ取得部２４は、ネットワーク通信部２６を制御してＩＤ解決サーバ４と通信し、ＩＤ復調部２３が復調したＩＤコードを送信して所定のウェブサイトのＵＲＬを取得する機能部であ
【００３４】
　ＧＰＳ測位部２７は、ＧＰＳを用いて自己の位置を測定し、位置情報としてＵＲＬ取得部２４に入力する。また、時計２８は、音響ＩＤを含んだ音声の収音時、または、ＩＤ解決サーバ４との通信時の時刻を計測して時刻情報としてＵＲＬ取得部２４に入力する。これらＧＰＳ測位部２７および時計２８は、後述の変形例において用いられる。また、操作
部２９はたとえばタッチパネルであり、情報通信ネットワーク３との通信の許可などのユーザ６の操作を検出する。」
　
（３）　段落【００３７】−【００４１】
「【００３７】
　以上は、テレビ１から放音される
音響ＩＤをＵＲＬと一対一で対応させ
１つの音響ＩＤを複数のコンテンツに対応させる
場合、音響ＩＤを受信したスマートフォン２の位置や受信時刻に基づき、１つのＩＤに対応させるＵＲＬを振り分けるように
【００３８】
　図７は、1つの音響ＩＤを複数のＵＲＬに対応させる場合のＩＤ・ＵＲＬ対応テーブル４０の例を示す図である。同図（Ａ）は、
１つのＩＤ「００００」を位置情報に基づいて４つのＵＲＬに振り分ける
位置情報は、スマートフォン２から音響ＩＤとともにＩＤ解決サーバ４に送られ
ＩＤ解決サーバ４は、スマートフォン２から受信した位置情報に基づき、そのスマートフォン２がどの地域に位置しているかを割り出し、その地域に応じたクーポンのＵＲＬを送信
【００３９】
　
なお、
スマートフォン２が情報通信ネットワーク３に
アクセスしたアクセスポイントの位置をＩＤ解決サーバ４が取得して位置情報として用いることも可能であ
【００４０】
　また、図６（Ｂ）は、
１つのＩＤ「００００」を時間帯に基づいて４つのＵＲＬに振り分ける
ＩＤ解決サーバ４がスマートフォン２から音響ＩＤを受信した時刻を時間情報として用いて
放音装置）から音響ＩＤを受信した時刻を時刻情報として
ＩＤ解決サーバ４は、時刻情報がどの時間帯に属しているかを割り出し、その時間帯に応じたクーポンのＵＲＬを送信
【００４１】
　以上の実施形態では、ＩＤ解決サーバ４がコンテンツやクーポンを表示するウェブページ（コンテンツサーバ５）のＵＲＬを直接返信する構成になっているが、より細かい振り
分けが可能な構成することも可能である。たとえば、ＩＤ解決サーバ４はＩＤの受信に応じてコンテンツサーバ５のポータルＵＲＬを返信し、スマートフォン２は、このポータルＵＲＬにアクセスして再度ＩＤを送信することにより、目的のコンテンツに到達するＵＲＬを獲得できるようにしてもよい。この場合、ポータルＵＲＬはウェブサービスのＵＲＬではなく、アクセス振り分け振分処理リソースのＵＲＬ（ｔｅｌｎｅｔなど）である。これにより、コンテンツサーバ５において、さらに細分化されたコンテンツの提供が可能になる。なお、この場合において、アクセス振り分け処理リソースを提供するサーバをコンテンツサーバ５と分けて別のサーバとしてもよい。」
　
（４）　段落【００４８】−【００５０】
「【００４８】
　以上はテレビ１の音声に音響ＩＤを重畳させる例について説明したが、
放音装置は
小売店舗等の施設に設置されたスピーカを利用して
　たとえば、
小売店舗の店頭（店舗近傍）または店内に設置されたスピーカから放音される呼び込み音声や音楽（ＢＧＭ）に音響ＩＤを重畳し、店舗近傍を通り掛かる顧客や店舗に入店した顧客に、クーポンや情報を提供するなどのサービスに適用する
【００４９】
　この場合、放音装置のスピーカ１６は、たとえば、図１０（Ａ）〜（Ｃ）に示すような形態で、店舗近傍または店内に設置すればよい。図１０（Ａ）は、通路または店舗の天井にスピーカ１６を設置する形態である。図１０（Ｂ）は、通路または店舗の壁面にスピーカ１６を設置する形態である。また、図１０（Ｃ）は、スピーカ１６が埋め込まれた掲示板９を店舗の前に設置する形態である。ただし、スピーカ１６の設置形態はこれに限定されない。
【００５０】
　図１０のスピーカ１６を備えた放音装置４は、図１１に示すような構成である。
放音装置８は、ＩＤコードメモリ１１、変調部１２、呼び込み音声再生部１３、合成部１４、増幅器１５および
スピーカ１６を備えて
変調部１２は、ＩＤコードを空気などの媒質の振動である音波として放音可能な周波数帯域の信号に変調する処理部であ
変調部１２の変調方式は
ＩＤコードで拡散符号を位相変調し、この位相変調された拡散符号を非可聴帯域まで周波数シフトして放音するようにして
呼び込み音声再生部１３は、店舗の名称などをアナウンスする音声、ＣＭソングなどの音楽を再生する機能部であ
合成部１４は、拡散変調されたＩＤコードと呼び込み音声を加算合成する機能部であ
増幅器１５は合成部１４から入力された音声を適当な電力まで増幅してスピーカ１６に供給
スピーカ１６は増幅器１５から入力された音声信号を音響として放音する
　
（５）　図７（Ａ）には、
１つのＩＤ「００００」を、４つの地域「愛知」、「静岡」、「岐阜」、「三重」に応じて、「愛知県店舗のクーポン」、「静岡県店舗のクーポン」、「岐阜県店舗のクーポン」、「三重県店舗のクーポン」の４つのクーポンのＵＲＬに振り分ける
（６）　図７（Ｂ）には、
１つのＩＤ「００１０」を、４つの時間帯「０時〜１０時」、「１０時〜１４時」、「１６時〜１８時」、「１８時〜２０時」に応じて、「サービスなし」、「お弁当割引クーポン」、「お肉割引クーポン」、「売れ残り品クーポン」の４つのクーポンのＵＲＬに振り分ける
　これらの記載から、引用例には、次の発明（以下、「引用発明」という。）が記載されていると認められる。
　
「情報提供システムは、放音装置が、識別情報である音響ＩＤが重畳された音声を放音し、携帯端末装置であるスマートフォン２がこの音響ＩＤを用いて特定のインターネットサイト（ＵＲＬ）にアクセスして情報を獲得するというシステムであり、
　スマートフォン２は、マイクロフォン２１、音響ＩＤ処理部２２、ＵＲＬ取得部２４、ウェブブラウザ２５、ネットワーク通信部２６、ＧＰＳ測位部２７、時計２８、操作部２９を備えており、
　音響ＩＤ処理部２２は、ＩＤ復調部２３およびＵＲＬ取得部２４を備えており、
　マイクロフォン２１は、スピーカから放音された音響を収音し、
　ＩＤ復調部２３は、収音して得られた音声信号を、拡散変調に用いられた拡散符号を係数とする整合フィルタに通すことによってＩＤコードを復調する処理部であり、
　ネットワーク通信部２６は、情報通信ネットワーク３を介してＩＤ解決サーバ４やコンテンツサーバ５と通信する機能部であり、
　ＵＲＬ取得部２４は、ネットワーク通信部２６を制御してＩＤ解決サーバ４と通信し、ＩＤ復調部２３が復調したＩＤコードを送信して所定のウェブサイトのＵＲＬを取得する機能部であり、
　音響ＩＤをＵＲＬと一対一で対応させず、１つの音響ＩＤを複数のコンテンツに対応させる場合、音響ＩＤを受信したスマートフォン２の位置や受信時刻に基づき、１つのＩＤに対応させるＵＲＬを振り分けるようにしてもよく、
　１つのＩＤ「００００」を、４つの地域「愛知」、「静岡」、「岐阜」、「三重」に応じて、「愛知県店舗のクーポン」、「静岡県店舗のクーポン」、「岐阜県店舗のクーポン」、「三重県店舗のクーポン」の４つのクーポンのＵＲＬに振り分ける場合、
　位置情報は、スマートフォン２から音響ＩＤとともにＩＤ解決サーバ４に送られ、
　ＩＤ解決サーバ４は、スマートフォン２から受信した位置情報に基づき、そのスマートフォン２がどの地域に位置しているかを割り出し、その地域に応じたクーポンのＵＲＬを送信し、
　なお、スマートフォン２が情報通信ネットワーク３にアクセスしたアクセスポイントの位置をＩＤ解決サーバ４が取得して位置情報として用いることも可能であり、
　１つのＩＤ「００１０」を、４つの時間帯「０時〜１０時」、「１０時〜１４時」、「１６時〜１８時」、「１８時〜２０時」に応じて、「サービスなし」、「お弁当割引クーポン」、「お肉割引クーポン」、「売れ残り品クーポン」の４つのクーポンのＵＲＬに振り分ける場合、
　ＩＤ解決サーバ４がスマートフォン２から音響ＩＤを受信した時刻を時間情報として用いて、
　放音装置から音響ＩＤを受信した時刻を時刻情報として、ＩＤ解決サーバ４は、時刻情報がどの時間帯に属しているかを割り出し、その時間帯に応じたクーポンのＵＲＬを送信し、
　放音装置は小売店舗等の施設に設置されたスピーカを利用してもよく、
　小売店舗の店頭（店舗近傍）または店内に設置されたスピーカから放音される呼び込み音声や音楽（ＢＧＭ）に音響ＩＤを重畳し、店舗近傍を通り掛かる顧客や店舗に入店した顧客に、クーポンや情報を提供するなどのサービスに適用するものであり、
　放音装置８は、ＩＤコードメモリ１１、変調部１２、呼び込み音声再生部１３、合成部１４、増幅器１５およびスピーカ１６を備えており、
　変調部１２は、ＩＤコードを空気などの媒質の振動である音波として放音可能な周波数帯域の信号に変調する処理部であって、変調部１２の変調方式は、ＩＤコードで拡散符号を位相変調し、この位相変調された拡散符号を非可聴帯域まで周波数シフトして放音するようにしており、
　呼び込み音声再生部１３は、店舗の名称などをアナウンスする音声、ＣＭソングなどの音楽を再生する機能部であり、
　合成部１４は、拡散変調されたＩＤコードと呼び込み音声を加算合成する機能部であり、
　増幅器１５は合成部１４から入力された音声を適当な電力まで増幅してスピーカ１６に供給し、
　スピーカ１６は増幅器１５から入力された音声信号を音響として放音する、
情報提供システム。」
　
　
３．対比
　本願発明と引用発明とを対比する。
　
（１）　引用発明の「放音装置」は、「ＩＤコードで拡散符号を位相変調し、この位相変調された拡散符号を
非可聴帯域まで周波数シフトして
　引用発明の「スマートフォン２」は、本願発明の「携帯端末」に相当する。
　引用発明の「ＩＤ解決サーバ４」は、「スマートフォン２がどの地域に位置しているかを割り出し、
その地域に応じたクーポンのＵＲＬを送信し
その時間帯に応じたクーポンのＵＲＬを送信し
　よって、引用発明の「放音装置が、識別情報である音響ＩＤが重畳された音声を放音し、携帯端末装置であるスマートフォン２がこの音響ＩＤを用いて特定のインターネットサイト（ＵＲＬ）にアクセスして情報を獲得するという」、「情報提供システム」は、本願発明の「超音波発生装置と、携帯端末と、前記携帯端末に情報を提供する情報提供装置と、を備える情報提供システム」に相当する。
（２）　引用発明の「放音装置８」が、「…変調部１２、呼び込み音声再生部１３、合成部１４、増幅器１５およびスピーカ１６を備えており」、「変調部１２の変調方式は、ＩＤコードで拡散符号を位相変調し、この位相変調された拡散符号を非可聴帯域まで周波数シフトして放音するようにしており」、「呼び込み音声再生部１３は、店舗の名称などをアナウンスする音声、ＣＭソングなどの音楽を再生する機能部であり」、「合成部１４は、拡散変調されたＩＤコードと呼び込み音声を加算合成する機能部であり」、「増幅器１５は合成部１４から入力された音声を適当な電力まで増幅してスピーカ１６に供給し」、「スピーカ１６は増幅器１５から入力された音声信号を音響として放音する」ことは、本願発明の「前記超音波発生装置は、配信情報が重畳された超音波信号を発生する信号発生部を有し」ていることに相当する。
（３）　引用発明の「スマートフォン２」が、「
マイクロフォン２１
ネットワーク通信部２６
ＩＤ復調部２３
ネットワーク通信部２６を制御してＩＤ解決サーバ４と通信し、ＩＤ復調部２３が復調したＩＤコードを送信して
（４）　引用発明の「ＩＤ解決サーバ４」が、「音響ＩＤをＵＲＬと一対一で対応させず、１つの音響ＩＤを複数のコンテンツに対応させる場合、音響ＩＤを受信したスマートフォン２の位置や受信時刻に基づき、１つのＩＤに対応させるＵＲＬを振り分ける」ものであって、例えば、「
ＩＤ解決サーバ４がスマートフォン２から音響ＩＤを受信した時刻を時間情報として用いて
その時間帯に応じたクーポンのＵＲＬを送信
所定期間内に前記装置側受信部が受信した前記配信情報を送信した前記携帯端末の数
条件
　したがって、両者の一致点、相違点は以下のとおりである。
　
［一致点］
「超音波発生装置と、携帯端末と、前記携帯端末に情報を提供する情報提供装置と、を備える情報提供システムであって、
　前記超音波発生装置は、配信情報が重畳された超音波信号を発生する信号発生部を有し、
　前記携帯端末は、
　前記超音波信号を受信する超音波信号受信部と、
　前記超音波信号に重畳された前記配信情報を抽出する抽出部と、
　前記配信情報を前記情報提供装置に送信する端末側送信部と、
　を有し、
　前記情報提供装置は、
　複数の前記携帯端末から前記配信情報を受信する装置側受信部と、
　
条件
　を有する情報提供システム。」
である点。
　
［相違点］
　情報提供装置の装置側送信部が送信する「特典情報」が、本願発明では、「所定期間内に前記装置側受信部が受信した前記配信情報を送信した前記携帯端末の数に基づいて選択した特典情報」であるのに対して、引用発明は、例えば、「１つのＩＤ「００１０」を、４つの時間帯「０時〜１０時」、「１０時〜１４時」、「１６時〜１８時」、「１８時〜２０時」に応じて選択された、「サービスなし」、「お弁当割引クーポン」、「お肉割引クーポン」、「売れ残り品クーポン」の４つのクーポンであって、上記のような「特典情報」ではない点。
　
　
４．相違点についての判断
　引用文献２（特開２００４−２７２４６３号公報）には、段落【００５１】−【００６１】に、以下の記載がある。
「【００５１】
＜発券処理２＞
第１の発券処理手順では、クーポンテーブル２１から取得したインセンティブ情報２１３をそのまま販促領域５２に印刷していた。次に、
第２の発券処理手順として、インセンティブ情報２１３に変更を加えて販促領域５２に印刷する場合について説明する
【００５２】
第２の発券処理手順のフローチャートを図１１に示す。このフローチャートを見れば分かるように、発券処理１との相違はインセンティブ情報を変換するステップＳ２１である。ステップＳ２１でインセンティブ情報が変換されると、ステップＳ１６において、変換されたインセンティブ情報が販促領域５２に印刷される。ステップＳ２１としては複数の処理態様が適用可能であり、それぞれについて説明する。
なお、以下の変換処理は、任意に組み合わせることができる
　　・・・（中略）・・・
【００５５】
第３の変換処理は、インセンティブを強化したい時間帯が予め定められていて、計時部１２から取得した現在の時刻がその時間帯に属する場合に、インセンティブ情報２１３を変換する処理である。例えば、制御部１１が、現在が所定の時間帯に属するかどうかを判定し、属する場合は各店舗の時間帯係数２２６を取得し、各割引率に時間帯係数を乗算して、割引率をアップする
【００５６】
第４の変換処理は、天気データベース１６に記憶されている天気情報に基いてインセンティブ情報を変換する処理である。例えば、発券装置１が設置されている場所の地域コードを地域テーブル２６から取得する。さらに、地域コードに基づいて天気テーブル２８から現在の天気または将来（例えば１〜２時間先）の予想される天気の天気コードを取得する。そして、天気コードテーブル２７から、この天気コードに対応したインセンティブ係数２７３および時間係数２７４を取得する。
【００５７】
そして、インセンティブ情報に含まれている各割引率に、ここで取得したインセンティブ係数２７３をかけ、インセンティブ情報に含まれている経過時間にここで取得した時間係数２７４をかけて、インセンティブ情報を変更する。このとき、インセンティブ係数２７３および時間係数２７４は、図５（ｂ）に例示したように、晴れのときは１であり、雨、大雪のときは１よりも大きな値となっている。つまり、悪天候のときには晴天時よりもさらに顧客に訴求するようにインセンティブを強化している。
【００５８】
第５の変換処理は、同時間帯の過去の発券実績と比較して、現在（本日）の発券枚数が少ないときは、インセンティブを強化するようインセンティブ情報を変更する処理を行う。例えば、制御部１１が、時間帯別発券カウンタテーブル２５を参照し、過去の時間帯別の発券実績として、例えば、最近１週間の平均を算出する。そして、この過去の発券実績と本日の現在までの発券状況とを比較する。例えば、現在の発券枚数が過去の同時間帯での発券枚数の実績と比較して、一定以上の割合（例えば３０％）で少ないときは、割引率をアップするなどしてインセンティブ情報を変更し、インセンティブを強化する
【００５９】
第６の変換処理は、各店舗の売上状況に応じて、インセンティブを変更する処理を行う。これは、売上テーブル２９に記憶されている売上情報に基づいて、インセンティブ情報を変更する。例えば、制御部１１が売上金額２９３および来客数２９４に基づいて、店舗ごとに限界割引率または限界割引額を算出し、インセンティブ情報を変更する。
　　・・・（中略）・・・
【００６１】
以上説明したような変換処理を行うことにより、発券装置１は、様々な態様のインセンティブ情報を記載したクーポン券を発券することができる。
この結果、顧客にとって魅力的な特典が与えられ、発券したクーポン券の利用促進が期待できる
　よって、引用文献２には、クーポン券の利用促進のために、「第３の変換処理」として、販売を促進したい時間帯があらかじめ定められている場合に、現在の時刻と時間帯ごとの時間帯係数に基づいて、クーポンの割引率をアップするクーポン発行形態、及び、「第５の変換処理」として、現在の発券枚数が少ない場合に販売を促進するために、例えば、現在の発券枚数が、同時間帯での最近１週間の発券枚数の実績の平均と比較して、例えば３０％の割合で少ないときは、クーポンの割引率をアップするクーポン発行形態が開示され、さらに、これらを任意に組み合わせることも開示されていると認められる。
　一方、引用発明において、「１つのＩＤ「００１０」を、４つの時間帯「０時〜１０時」、「１０時〜１４時」、「１６時〜１８時」、「１８時〜２０時」に応じて、「サービスなし」、「お弁当割引クーポン」、「お肉割引クーポン」、「売れ残り品クーポン」の４つのクーポンのＵＲＬに振り分ける」のは、販売促進を図りたい時間帯があらかじめ固定的に定められている場合のクーポン発行形態であるといえる。
　ここで、引用文献２の段落【００５６】−【００５７】に、「…天気テーブル２８から現在の天気または将来（例えば１〜２時間先）の予想される天気の天気コードを取得する。そして、天気コードテーブル２７から、この天気コードに対応したインセンティブ係数２７３および時間係数２７４を取得する。……このとき、インセンティブ係数２７３および時間係数２７４は、図５（ｂ）に例示したように、晴れのときは１であり、雨、大雪のときは１よりも大きな値となっている。つまり、悪天候のときには晴天時よりもさらに顧客に訴求するようにインセンティブを強化している。」と記載されるように、天候等の各種の要因の影響によって、時間帯ごとの売り上げが、毎日変動することは、周知の事項である。
　したがって、引用発明に接した当業者であれば、時間帯ごとの売り上げが、毎日変動することを考慮して、引用発明において、時間帯などにより固定的に定められた特典情報（クーポン）を発行することに替えて、引用文献２に記載される、現在の発券枚数が少ない場合に販売を促進するために、現在の発券枚数が、同時間帯での最近１週間の発券枚数の実績の平均と比較して、例えば３０％の割合で少ないときは、クーポンの割引率をアップするクーポン発行形態を採用するとともに、この際、「クーポンの発券枚数」と常にほぼ同じであることが明らかな、（クーポンを受け取るために）「配信情報を送信した携帯端末の数」によって、発券枚数を把握する構成を採用することで、「所定期間内に前記装置側受信部が受信した前記配信情報を送信した前記携帯端末の数に基づいて選択した特典情報を、前記配信情報を送信した前記携帯端末に送信する装置側送信部」を備える、上記相違点に係る本願発明の構成を採用することは、当業者が容易に推考し得ることである。
　
　そして、本願発明のように構成したことによる効果も、引用発明及び周知技術から予測できる程度のものである。
　
　
５．むすび
　以上のとおり、本願発明は、引用発明及び引用文献２に記載された事項に基づいて、当業者が容易に発明をすることができたものであるから、本願は、特許法第２９条第２項の規定により特許を受けることができない。したがって、本願は拒絶すべきものである。
　よって、結論のとおり審決する。